(57)【特許請求の範囲】
【請求項１】
ケースの一側面に栓刃を突設し、他の一側面に前記栓刃と電気的に接続される電源コードの挿通口を形成し、該挿通口に挿通された前記電源コードを押さえ板により前記ケースの内面に形成されたコード受け部に押圧し、前記押さえ板の両端に形成されたねじ挿通孔に固定ねじを挿通させて前記ケースの内面に形成されたねじ穴に螺着し、前記電源コードを挟持固定して成る差込プラグにおいて、前記ケースのコード受け部を前記挿通口から内側方向に向けて段階的に高くなるように形成したことを特徴とする差込プラグ。
【請求項２】
前記押さえ板及び前記コード受け部の一方又は両方のコード当接面に滑り止めを設けたことを特徴とする請求項１に記載の差込プラグ。
【請求項３】
前記押さえ板の両端を前記電源コードの配置方向に延設して略コ字状に形成し、前記ねじ挿通孔を前記電源コードの配置方向に長い長孔形状に形成して上下反転して固定できるようにしたことを特徴とする請求項１又は請求項２に記載の差込プラグ。
【発明の詳細な説明】
【技術分野】
【０００１】
本発明は、電源コードの先端に設けられる差込プラグに関する。
【背景技術】
【０００２】
一般に接地極を有する３極型の差込プラグに接続される電源コードは３本の電線を収束して構成しているので直径が太い。この直径の太い電源コードを差込プラグのケースに固定する構造としては、例えば、ケースの一側面に形成された挿通口の内側にコード受け部を形成し、このコード受け部に電源コードを当接させて横長の押さえ板で押さえ、押さえ板の両端に固定ねじを挿通させてケースの内面に形成されたねじ穴に螺着することにより電源コードを挟持して固定していた（例えば、特許文献１参照。）。
【０００３】
【特許文献１】特開２００５−１３５６１５号公報
【発明の開示】
【発明が解決しようとする課題】
【０００４】
差込プラグに接続される電源コードは電気機器の消費電力に応じて直径が異なる場合があり、従来の差込プラグでは電源コードの太さによって締め付け力にばらつきが生じ、細い電源コードを固定した場合は締め付け力が弱いことがあり、コード部が引っ張られると栓刃との接続部に力がかかって断線する虞があるし、太い電源コードを固定した場合は固定ねじの締め付け過ぎによりコード部が押し潰されて芯線を傷める虞があった。
【課題を解決するための手段】
【０００５】
本発明は、請求項１に記載の発明によれば、ケースの一側面に栓刃を突設し、他の一側面に栓刃と電気的に接続される電源コードの挿通口を形成し、挿通口に挿通された電源コードを押さえ板によりケースの内面に形成されたコード受け部に押圧し、押さえ板の両端に形成されたねじ挿通孔に固定ねじを挿通させてケースの内面に形成されたねじ穴に螺着し、電源コードを挟持固定して成る差込プラグにおいて、ケースのコード受け部を挿通口から内側方向に向けて段階的に高くなるように形成したことを特徴とする。
【０００６】
請求項２に記載の発明によれば、請求項１に記載の差込プラグにおいて、押さえ板及びコード受け部の一方又は両方のコード当接面に滑り止めを設けたことを特徴とする。
【０００７】
請求項３に記載の発明によれば、請求項１又は請求項２に記載の差込プラグにおいて、押さえ板の両端を電源コードの配置方向に延設して略コ字状に形成し、ねじ挿通孔を電源コードの配置方向に長い長孔形状に形成して上下反転して固定できるようにしたことを特徴とする。
【発明の効果】
【０００８】
請求項１に記載の発明によれば、異なる直径の電源コードを同じ締め付け力で固定することができるという効果がある。
【０００９】
請求項２に記載の発明によれば、請求項１に記載の発明の効果に加えて、電源コードの固定を強化することができるという効果がある。
【００１０】
請求項３に記載の発明によれば、請求項１又は請求項２に記載の発明の効果に加えて、ケースのねじ穴の数を少なくすることができるという効果がある。
【発明を実施するための最良の形態】
【００１１】
差込プラグは栓刃が突設されたベースに形成された電源コードを挿通するための挿通口の内側に電源コードを配置するためのリブ状のコード受け部を形成し、コード受け部は直径の異なる電源コードを固定するために挿通口から内側方向に向けて段階的に高くなるように３段に形成する。コード受け部の左右両側には押さえ板のねじ挿通孔と対向するねじ穴を各段に対応して複数対形成する。電源コードは複数段のコード受け部から直径に合う箇所を選択して当接させ、押さえ板で電源コードを押さえて両側のねじ挿通孔に固定ねじを挿通させ、電源コードを当接させたコード受け部の位置に対応したねじ穴に螺着することにより電源コードを押さえ板とコード受け部で挟持して固定する。
【実施例１】
【００１２】
本発明に係る差込プラグの実施例１を図１及び図２の添付図面に基づいて説明する。
【００１３】
差込プラグ１はベース２とカバー３とでケースを構成し、３極型の場合、ベース２の一側面に２本の平型の栓刃５が離間して突設され、この２本の栓刃５と離間して接地極を成す１本の略Ｕ字状の栓刃６が突設されている。
【００１４】
また、ベース２とカバー３が接合する面に半円部が夫々切り欠き形成され、接合時に円形となって電源コード７が挿通する挿通口９が設けられている。ベース２の挿通口９の内側は電源コード７が配置されるリブ状のコード受け部１０が形成され、コード受け部１０は直径の異なる電源コード７を固定するために挿通口９から内側方向に向けて段階的に高くなるように３段に形成されている。
【００１５】
コード受け部１０と対向して配置される横長の押さえ板１２は中央部が円弧状に形成され、両端部に固定ねじ１４が挿通するためのねじ挿通孔１３が形成されている。そして、押さえ板１２のねじ挿通孔１３と対向するコード受け部１０の両側には固定ねじ１４が螺合するねじ穴１１が形成され、ねじ穴１１は各段に対応して複数対設けられている。
【００１６】
このようにして形成された差込プラグ１に電源コード７を固定するには、まず、ベース２からカバー３を取り外し、ベース２の複数段のコード受け部１０から電源コード７の直径に合う箇所を選択して電源コード７をコード受け部１０に当接させ、押さえ板１２で電源コード７を押さえて両側のねじ挿通孔１３に固定ねじ１４を挿通させ、電源コード７を当接させたコード受け部１０の位置に対応したねじ穴１１に螺着することにより電源コード７を押さえ板１２とコード受け部１０で挟持して固定する。コード受け部１０はリブ状になっているので電源コード７に食い込んで抜け止めの効果がある。こうして、電源コード７を固定した後は、電源コード７内の各電線８を対応する栓刃５，６に電気的に接続し、接続が完了したらベース２にカバー３を取り付ける。
【００１７】
尚、本実施例では３極型の差込プラグについて説明したが、２極型の差込プラグに適用することも可能である。また、本実施例ではコード受け部はリブ状に形成されているが、図３に示すようにコード受け部１０を略円形状に形成したり、図４に示すようにコード受け部１０を階段状に形成してもよい。また、滑り止めの形状についても図４に示すようなスリットなどでもよく、滑り止めの形成部位はコード受け部のコード当接面に限定されず、押さえ板のコード当接面やコード受け部と押さえ板の両方のコード当接面であっても良い。また、本実施例ではコード受け部は３段であるが、複数段であれば何段であってもよく、その他の形状及び構造について本発明の趣旨を逸脱しない範囲において適宜に変更して実施することも可能である。
【実施例２】
【００１８】
本発明に係る差込プラグの実施例２を図５〜図８の添付図面に基づいて説明する。
【００１９】
差込プラグ２１はベース２２とカバー２３とでケースを構成し、３極型の場合、ベース２２の一側面に２本の平型の栓刃２５が離間して突設され、この２本の栓刃２５と離間して接地極を成す１本の略Ｕ字状の栓刃２６が突設されている。
【００２０】
また、ベース２２とカバー２３が接合する面に半円部が夫々切り欠き形成され、接合時に円形となって電源コード２７が挿通する挿通口２９が設けられている。ベース２２の挿通口２９の内側は電源コード２７が配置されるリブ状のコード受け部３０が形成され、コード受け部３０は挿通口２９から内側方向に向けて段階的に高くなるように３段に形成されている。
【００２１】
コード受け部３０と対向して配置される横長の押さえ板３２は中央部が円弧状に形成され、両端部は電源コードの配置方向の一方側に延設されて略コ字状に形成され、固定ねじ３４が挿通するためのねじ挿通孔３３が電源コードの配置方向に長い長孔形状に形成されている。そして、押さえ板３２のねじ挿通孔３３と対向する中段のコード受け部３０の両側には固定ねじが螺合するねじ穴３１が形成されている。
【００２２】
このようにして形成された差込プラグ２１に電源コード２７を固定するには、まず、ベース２２からカバー２３を取り外し、ベース２２の複数段のコード受け部３０から電源コード２７の直径に合う箇所を選択して電源コード２７をコード受け部３０に当接させる。そして、電源コード２７を当接させたコード受け部３０の位置と押さえ板３２の円弧状部分が対向し、且つ、ベース２２のねじ穴３１にねじ挿通孔３３が対向するように押さえ板３２を配置し、ねじ挿通孔３３に固定ねじ３４を挿通させてねじ穴３１に螺着することにより電源コード２７を押さえ板３２とコード受け部３０で挟持して固定する。即ち、上段のコード受け部３０に電源コード２７を固定する場合は、図６に示すように押さえ板３２の円弧状部分を上段のコード受け部３０と対向させた上で、ねじ挿通孔３３の先端側をねじ穴３１に対向するようにして電源コード２７を押さえ、ねじ挿通孔３３に固定ねじ３４を挿通させてねじ穴３１に螺着して固定し、また、下段のコード受け部３０に電源コード２７を固定する場合は、図７に示すように押さえ板３２を上段のコード受け部３０に固定した状態から上下反転させ、押さえ板３２の円弧状部分を下段のコード受け部３０と対向させた上で、ねじ挿通孔３３の先端側をねじ穴３１に対向するようにして電源コード２７を押さえ、ねじ挿通孔３３に固定ねじ３４を挿通させてねじ穴４１に螺着して固定し、また、中段のコード受け部３０に電源コード２７を固定する場合は、図８に示すように押さえ板３２の円弧状部分を中段のコード受け部３０と対向させた上で、ねじ挿通孔３３の基端側をねじ穴３１に対向するようにして電源コード２７を押さえ、ねじ挿通孔３３に固定ねじ３４を挿通させてねじ穴３１に螺着して固定する。図８では押さえ板３２の取り付け方向は上段取り付け時と同じ方向であるが、下段取り付け時の取り付け方向であっても良い。尚、コード受け部３０はリブ状になっているので電源コード２７に食い込んで抜け止めの効果がある。こうして、電源コード２７を固定した後は、電源コード２７内の各電線２８を対応する栓刃２５，２６に電気的に接続し、接続が完了したらベース２２にカバー２３を取り付ける。
【００２３】
以上のように、押さえ板３２を略コ字状にしてねじ挿通孔３３を長孔形状にしたことにより、コード受け部３０を３段に形成した場合、通常、３対のねじ穴３１を設けなければならないが、１対のねじ穴３１で対応することができ、また、コード受け部３０の中間部両側にねじ穴３１を形成し、押さえ板３２を上下反転させて上段及び下段のコード受け部３０と対向するようにしたことにより、押さえ板３２を小型に形成することが可能となる。
【００２４】
尚、本実施例では３極型の差込プラグについて説明したが、２極型の差込プラグに適用することも可能である。また、本実施例ではコード受け部はリブ状に形成されているが、図９に示すようにコード受け部３０を略円形状に形成したり、図１０に示すようにコード受け部３０を階段状に形成してもよい。また、滑り止めの形状についても図１０に示すようなスリットなどでもよく、滑り止めの形成部位はコード受け部のコード当接面に限定されず、押さえ板のコード当接面やコード受け部と押さえ板の両方のコード当接面であっても良い。また、本実施例ではコード受け部は３段であるが、複数段であれば何段であってもよく、その他の形状及び構造について本発明の趣旨を逸脱しない範囲において適宜に変更して実施することも可能である。
【図面の簡単な説明】
【００２５】
【図１】本発明の実施例１に係る差込プラグを示す分解斜視図である。
【図２】本発明の実施例１に係る差込プラグのベースの中段のコード受け部に電源コードを固定した状態を示す正面図である。
【図３】本発明の実施例１に係る差込プラグの変形実施例を示す要部斜視図である。
【図４】本発明の実施例１に係る差込プラグの変形実施例を示す要部斜視図である。
【図５】本発明の実施例２に係る差込プラグを示す分解斜視図である。
【図６】本発明の実施例２に係る差込プラグのベースの上段のコード受け部に電源コードを固定した状態を示す正面図である。
【図７】本発明の実施例２に係る差込プラグのベースの下段のコード受け部に電源コードを固定した状態を示す正面図である。
【図８】本発明の実施例２に係る差込プラグのベースの中段のコード受け部に電源コードを固定した状態を示す正面図である。
【図９】本発明の実施例２に係る差込プラグの変形実施例を示す要部斜視図である。
【図１０】本発明の実施例２に係る差込プラグの変形実施例を示す要部斜視図である。
【符号の説明】
【００２６】
１    差込プラグ
２    ベース
７    電源コード
１０    コード受け部
１１    ねじ穴
１２    押さえ板
１３    ねじ挿通孔
１４    固定ねじ
【図１】
0004678850.tif 000002
【図２】
0004678850.tif 000003
【図３】
0004678850.tif 000004
【図４】
0004678850.tif 000005
【図５】
0004678850.tif 000006
【図６】
0004678850.tif 000007
【図７】
0004678850.tif 000008
【図８】
0004678850.tif 000009
【図９】
0004678850.tif 000010
【図１０】
0004678850.tif 000011